【事件の表示】
　商願２００４−１０９２２５拒絶査定不服審判事件について、次のとおり審決する。
【結　論】
　原査定を取り消す。
　本願商標は、登録すべきものとする。
【理　由】
１　本願商標
　本願商標は、別掲（１）のとおりの構成よりなり、第３類、第９類、第１４類、第１６類、第２８類及び第３０類に属する願書記載のとおりの商品を指定商品として、平成１６年１１月３０日に登録出願されたものである。
　　
２　引用商標
　原審において、本願商標が、商標法第４条第１項第１１号に該当するとして引用した登録商標は、以下の１４件である。
（１）登録第１１４０８１１号商標（以下「引用商標１」という。）
　「アンドユー」及び「＆　ＹＯＵ」の文字を上下二段に横書きしてなり、昭和４７年６月１６日に登録出願、第３０類に属する商標登録原簿記載の商品を指定商品として、同５０年８月６日に設定登録されたものである。その後、指定商品については、平成１７年７月２０日、第３０類に属する商標登録原簿記載の商品に書換登録がなされたものである。
（２）登録第２６６７９９１号商標（以下「引用商標２」という。）
　「あんじゆ」の文字を書してなり、平成３年１２月１２日に登録出願、第３２類に属する商標登録原簿記載の商品を指定商品として、同６年５月３１日に設定登録されたものである。その後、指定商品については、同１７年５月２５日、第２９類、第３０類、第３１類及び第３２類に属する商標登録原簿記載の商品に書換登録がなされたものである。
（３）登録第３０２９７８８号商標（以下「引用商標３」という。）
　別掲（２）のとおりの構成よりなり、平成４年８月１２日に登録出願、第２８類に属する商標登録原簿記載の商品を指定商品として、同７年３月３１日に設定登録されたものである。
（４）登録第４５５２２４２号商標（以下「引用商標４」という。）
　別掲（３）のとおりの構成よりなり、平成１３年５月２９日に登録出願、第３０類に属する商標登録原簿記載の商品を指定商品として、同１４年３月１５日に設定登録されたものである。
（５）登録第４６０３５３３号商標（以下「引用商標５」という。）
　「Ａｎｇｅｓ」及び「アンジュ」の文字を上下二段に横書きしてなり、平成１３年１２月１４日に登録出願、第２８類に属する商標登録原簿記載の商品を指定商品として、同１４年９月１３日に設定登録されたものである。
（６）登録第４６８５９６４号商標（以下「引用商標６」という。）
　別掲（３）のとおりの構成よりなり、平成１４年１月３０日に登録出願、第１２類及び第２０類に属する商標登録原簿記載の商品を指定商品として、同１５年６月２７日に設定登録されたものである。
（７）登録第４６９２４７８号商標（以下「引用商標７」という。）
　別掲（３）のとおりの構成よりなり、平成１４年８月１３日に登録出願、第３類に属する商標登録原簿記載の商品を指定商品として、同１５年７月１８日に設定登録されたものである。
（８）登録第４７１６４０１号商標（以下「引用商標８」という。）
　別掲（３）のとおりの構成よりなり、平成１４年１２月２６日に登録出願、第１６類に属する商標登録原簿記載の商品を指定商品として、同１５年１０月１０日に設定登録されたものである。
（９）登録第４７２５４４０号商標（以下「引用商標９」という。）
　別掲（３）のとおりの構成よりなり、平成１４年１１月２９日に登録出願、第８類に属する商標登録原簿記載の商品を指定商品として、同１５年１１月１４日に設定登録されたものである。
（１０）登録第４７２５４４１号商標（以下「引用商標１０」という。）
　別掲（３）のとおりの構成よりなり、平成１４年１１月２９日に登録出願、第９類に属する商標登録原簿記載の商品を指定商品として、同１５年１１月１４日に設定登録されたものである。
（１１）登録第４７２６２５４号商標（以下「引用商標１１」という。）
　別掲（３）のとおりの構成よりなり、平成１４年１１月２９日に登録出願、第３類に属する商標登録原簿記載の商品を指定商品として、同１５年１１月１４日に設定登録されたものである。
（１２）登録第４７３８０５７号商標（以下「引用商標１２」という。）
　別掲（３）のとおりの構成よりなり、平成１４年１２月２６日に登録出願、第２４類に属する商標登録原簿記載の商品を指定商品として、同１６年１月９日に設定登録されたものである。
（１３）登録第４７３８０５９号商標（以下「引用商標１３」という。）
　別掲（３）のとおりの構成よりなり、平成１４年１２月２６日に登録出願、第１１類に属する商標登録原簿記載の商品を指定商品として、同１６年１月９日に設定登録されたものである。
（１４）登録第４８６９９１８号商標（以下「引用商標１４」という。）
　別掲（３）のとおりの構成よりなり、平成１４年４月２４日に登録出願、第１８類に属する商標登録原簿記載の商品を指定商品として、同１７年６月１０日に設定登録されたものである。
　
３　当審の判断
（１）本願商標は、別掲のとおり、「Ａｎｄｙｏｕ」の文字に「！」及び星形図形や弧状の線を結合し、「アンジュ！」を小さく配置した構成よりなるものであるところ、本願商標からは、「アンジュ」の称呼を生じるものであるが、水色に彩色された「Ａｎｄｙｏｕ」及び「！」を一連に結合し黄色の２つの星を加え、その下部に弧状の線と、四つの青色の星を結合して一種独特な図案化をした標章との印象をもって看取され、特定の観念を生じさせないものとして受け止められるというのが相当である。
（２）引用商標１は、「アンドユー」と「＆　ＹＯＵ」よりなり、「アンドユー」の称呼、「で、あなたの方は」との観念を生じるものである。
　しかして、本願商標と引用商標１とは、その称呼「アンジュ」と「アンドユー」においては、ともに簡素な音数の称呼の後半で「ジュ」と「ドユー」の相違がある上、外観及び観念の明らかな差異からして、相紛れるおそれはないものというべきである。
（３）引用商標２は、構成文字「あんじゆ」から「アンジユ」の称呼を生じ、特定の観念を生じないものであり、引用商標３は、別掲（２）のとおり、相当に図案化された「ＡＮＤＵＥ」の文字から「アンデュー」の称呼を生じ、特定の観念を生じないものである。
　しかして、本願商標と引用商標２及び３とは、互いに簡素な称呼の後半において「ジュ」と「ジユ」、「ジュ」と「デュー」の差異を有する上、その外観構成において著しく異なり、観念においては比較し得ないものであって、相紛らわしいものとはいえない。
（４）引用商標５は、「Ａｎｇｅｓ」と「アンジュ」の文字とを普通の書体で二段に横書きした構成態様のものであるところ、構成文字から「アンジェス」あるいは「アンジュ」の称呼を生じるものであるが、特定の観念は生じないというのが相当である。
　しかして、本願商標と引用商標５とは、称呼を共通にするものではあるが、その構成態様において、称呼の共通性を凌駕する程の顕著な差異を有するものというべきであるから、これより受ける印象が全く異なり、相紛れるおそれはなく充分に区別し得るというのが相当である。
（５）引用商標４及び６ないし１４は、別掲（３）のとおり、「安寿」の文字を右下がりに太字で大きく表し、その「寿」の文字の上部に小さく「あんじゅ」と表音風に表した構成態様のものであるところ、その構成文字から「アンジュ」の称呼が生じるとともに、「（「山椒太夫」の）安寿姫」の観念を生じるものである。
　しかして、本願商標と引用商標４及び６ないし１４とは、外観及び観念を明らかに異にしており、称呼を共通するとしても、外観及び観念上の顕著な差異によって明確に区別し得るというのが相当である。
（６）してみれば、本願商標と各引用商標は、それぞれ、その外観、称呼及び観念を総合して全体的にみたときには、それぞれから受ける印象及び記憶を異にし、本願商標を、時と所を異にする取引の実際において同一又は類似の商品に使用したとしても、各引用商標を使用した商品との間で出所について誤認混同を生じさせるものとは認め難いから、本願商標は、各引用商標に類似する商標ではないと判断されるものである。
（７）したがって、本願商標が商標法第４条第１項第１１号に該当するとして本願を拒絶した原査定は、取消しを免れない。
　その他、政令で定める期間内に本願について拒絶の理由を発見しない。
　よって、結論のとおり審決する。